(57)【要約】【課題】通信環境が異なる場合であっても、適切に読み取ったコード化パターンの情報を送信することが可能な電子ペン及びプログラムを提供する。【解決手段】電子ペン１は、記入用紙２の記入エリア２０への記入操作に基づき生成した記入情報を、通信方式指定エリア２１にて選択された通信方式によりコンピュータ装置３又はサーバ装置７に送信する。【選択図】図２
2014115832.tif 000002
【特許請求の範囲】
【請求項１】
記入を行うための記入エリアと、通信方式又は通信先を指定するための指定エリアとにそれぞれコード化パターンが印刷された用紙の前記指定エリアに印刷されたコード化パターンを読み取った場合、当該コード化パターンが示す座標値又はコード値に関連付けられて記憶手段に記憶された通信方式又は通信先を、コード化パターンに応じた記入情報を送信する通信方式又は通信先に設定する設定手段と、
前記記入エリアで読み取ったコード化パターンに応じた記入情報を、前記設定手段による設定に基づき送信する通信制御手段と、
を有することを特徴とする電子ペン。
【請求項２】
前記用紙には、通信方式又は通信先の設定を解除するための解除指定エリアがさらに設けられ、
前記設定手段は、前記解除指定エリアに印刷されたコード化パターンを読み取った場合、前記設定を解除することを特徴とする請求項１に記載の電子ペン。
【請求項３】
前記通信制御手段は、
前記記入エリアのコード化パターンを読み取ったときに、前記設定手段により通信方式又は通信先の設定がされている場合、前記設定に従い当該コード化パターンに応じた記入情報を即時に送信することを特徴とする請求項１または２に記載の電子ペン。
【請求項４】
前記通信制御手段は、
前記記入エリアのコード化パターンを読み取ったときに、前記設定手段により通信方式又は通信先の設定がされていない場合、生成した記入情報を前記記憶手段に記憶させ、
前記前記設定手段により通信方式又は通信先の設定がされたときに、前記記憶手段に記憶させた記入情報を送信することを特徴とする請求項１〜３のいずれか一項に記載の電子ペン。
【請求項５】
前記通信制御手段は、有線通信が可能な場合には、前記設定手段により通信方式が設定されているか否かに関わらず、有線通信により前記記入情報を送信することを特徴とする請求項１〜４のいずれか一項に記載の電子ペン。
【請求項６】
前記通信制御手段は、前記設定手段により通信先の設定がされている場合であって、当該通信先に複数の通信方式が通信圏内である場合、当該複数の通信方式のうち通信可能範囲が最も狭い通信方式により前記記入情報を送信することを特徴とする請求項１〜５のいずれか一項に記載の電子ペン。
【請求項７】
前記通信制御手段は、前記設定手段により通信方式の設定がされている場合であって当該通信方式により通信可能な通信先が複数存在する場合、設定された通信方式に関連付けられて前記記憶手段に記憶された通信先に、前記記入情報を送信することを特徴とする請求項１〜６のいずれか一項に記載の電子ペン。
【請求項８】
表示手段と、
前記設定手段により設定された通信方式又は通信先を前記表示手段に表示させる表示制御手段とをさらに有することを特徴とする請求項１〜７のいずれか一項に記載の電子ペン。
【請求項９】
記入を行うための記入エリアと、通信方式又は通信先を指定するための指定エリアとにそれぞれコード化パターンが印刷された用紙と、
請求項１〜８のいずれか一項に記載の電子ペンと、
前記電子ペンから記入情報を受信する１又は複数の受信機とを有する電子ペンシステムであって、
前記電子ペンの前記通信制御手段は、
前記設定手段により通信先の設定がされている場合、設定された通信先である受信機に、前記記入エリアで読み取ったコード化パターンに応じた記入情報を送信し、
前記設定手段により通信方式の設定がされている場合、設定された通信方式により、前記記入エリアで読み取ったコード化パターンに応じた記入情報を前記受信機のいずれかに送信することを特徴とする電子ペンシステム。
【請求項１０】
請求項１〜９のいずれか一項に記載の電子ペンとして機能させることを特徴とするプログラム。
【発明の詳細な説明】
【技術分野】
【０００１】
本発明は、電子ペンなどのコード化パターンを読み取り可能な読み取り装置に適用可能な通信技術に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報をコンピュータ装置に送信する。
【０００３】
特許文献２には、ドットパターンに対向する電子ペンの角度に起因するドットの画像上の配列を補正する回転補正処理機能が記載されている。また、特許文献３には、電子ペンが載置された場合に、電子ペンが記憶する記入情報を端末装置へ送信するクレードルの構造が記載されている。特許文献４には、ＳＩＭ（Ｓｕｂｓｃｒｉｂｅｒ  Ｉｄｅｎｔｉｔｙ  Ｍｏｄｕｌｅ）カードが装着されることで、第３世代携帯電話システムで通信を行うことが可能な携帯電話が記載されている。
【０００４】
さらに、特許文献５には、コード化パターンを読み取り、無線通信方式の通信圏内であれば、生成した記入情報を受信機へ送信し、通信圏外のときには、記入情報をバッファに記憶する電子ペンが記載されている。
【先行技術文献】
【特許文献】
【０００５】
【特許文献１】特許第３８４２２８３号公報
【特許文献２】特表２００３−５２９８５３号公報
【特許文献３】特開２００６−２６０３４５号公報
【特許文献４】特開２００８−３０６７２１号公報
【特許文献５】特表２００３−５００７５７号公報
【発明の概要】
【発明が解決しようとする課題】
【０００６】
電子ペンをユーザが使用する環境は様々であり、電子ペンが生成した記入情報の送信先や通信方式を使用環境に応じてユーザが選択したい場合がある。そこで、本発明は、読み取ったコード化パターンの情報をユーザの意図に従い適切に送信することが可能な電子ペン、電子ペンシステム及びプログラムを提供することを主な目的とする。
【課題を解決するための手段】
【０００７】
本発明に係る電子ペンは、記入を行うための記入エリアと、通信方式又は通信先を指定するための指定エリアとにそれぞれコード化パターンが印刷された用紙の前記指定エリアに印刷されたコード化パターンを読み取った場合、当該コード化パターンが示す座標値又はコード値に関連付けられて記憶手段に記憶された通信方式又は通信先を、コード化パターンに応じた記入情報を送信する通信方式又は通信先に設定する設定手段と、前記記入エリアで読み取ったコード化パターンに応じた記入情報を、前記設定手段による設定に基づき送信する通信制御手段と、を有する。
【０００８】
上記の電子ペンは、設定手段と、通信制御手段とを有する。設定手段は、用紙の指定エリアに印刷されたコード化パターンを読み取った場合、当該コード化パターンに関連付けられて記憶手段に記憶された通信方式又は通信先を、コード化パターンに応じた記入情報を送信する通信方式又は通信先に設定する。通信制御手段は、記入エリアで読み取ったコード化パターンの情報を、設定情報に基づき送信する。この態様により、電子ペンは、記入エリアへの記入内容を示す記入情報を、ユーザが意図する通信方式により又はユーザが意図する通信先に、好適に送信することができる。
【０００９】
上記電子ペンの一態様では、前記用紙には、通信方式又は通信先の設定を解除するための解除指定エリアがさらに設けられ、前記設定手段は、前記解除指定エリアに印刷されたコード化パターンを読み取った場合、前記設定を解除する。この態様により、電子ペンは、一度設定した通信先又は通信方式を、ユーザが意図する任意のタイミングで解除することができる。
【００１０】
上記電子ペンの他の一態様では、前記通信制御手段は、前記記入エリアのコード化パターンを読み取ったときに、前記設定手段により通信方式又は通信先の設定がされている場合、前記設定に従い当該コード化パターンに応じた記入情報を即時に送信する。この態様により、電子ペンは、通信方式又は通信先の設定がされている場合に、記入情報を即時に送信することができる。
【００１１】
上記電子ペンの他の一態様では、前記通信制御手段は、前記記入エリアのコード化パターンを読み取ったときに、前記設定手段により通信方式又は通信先の設定がされていない場合、生成した記入情報を前記記憶手段に記憶させ、前記前記設定手段により通信方式又は通信先の設定がされたときに、前記記憶手段に記憶させた記入情報を送信する。この態様により、電子ペンは、通信方式又は通信先の設定がされていないときに生成した記入情報を、ユーザが意図する通信方式により又はユーザが意図する通信先に、好適に送信することができる。
【００１２】
上記電子ペンの他の一態様では、前記通信制御手段は、有線通信が可能な場合には、前記設定手段により通信方式が設定されているか否かに関わらず、有線通信により前記記入情報を送信する。このようにすることで、電子ペンは、記入情報を安全かつ確実に送信することができる。
【００１３】
上記電子ペンの他の一態様では、前記通信制御手段は、前記設定手段により通信先の設定がされている場合であって、当該通信先に複数の通信方式が通信圏内である場合、当該複数の通信方式のうち通信可能範囲が最も狭い通信方式により前記記入情報を送信する。このようにすることで、電子ペンは、記入情報の送信時での無線による通信距離を短くすることができ、記入情報を安全に送信することができる。
【００１４】
上記電子ペンの他の一態様では、前記通信制御手段は、前記設定手段により通信方式の設定がされている場合であって当該通信方式により通信可能な通信先が複数存在する場合、設定された通信方式に関連付けられて前記記憶手段に記憶された通信先に、前記記入情報を送信する。このようにすることで、電子ペンは、記入情報の送信先を一意に定めることができる。
【００１５】
上記電子ペンの他の一態様では、電子ペンは、表示手段と、前記設定手段により設定された通信方式又は通信先を前記表示手段に表示させる表示制御手段とをさらに有する。この態様により、電子ペンは、設定された通信方式又は通信先をユーザに好適に認識させることができる。
【００１６】
本発明に係る電子ペンシステムは、記入を行うための記入エリアと、通信方式又は通信先を指定するための指定エリアとにそれぞれコード化パターンが印刷された用紙と、上記記載の電子ペンと、前記電子ペンから記入情報を受信する１又は複数の受信機とを有する電子ペンシステムであって、前記電子ペンの前記通信制御手段は、前記設定手段により通信先の設定がされている場合、設定された通信先である受信機に、前記記入エリアで読み取ったコード化パターンに応じた記入情報を送信し、前記設定手段により通信方式の設定がされている場合、設定された通信方式により、前記記入エリアで読み取ったコード化パターンに応じた記入情報を前記受信機のいずれかに送信する。この態様により、電子ペンシステムは、ユーザの電子ペンによる用紙の指定エリア上での操作に基づき、記入情報の通信方式又は通信先を定めて、記入エリアへの記入に基づく記入情報を受信機に好適に受信させることができる。
【００１７】
本発明に係るプログラムは、上記記載のいずれか一つの電子ペンとして機能させる。これらのプログラムを電子ペンにインストールして機能させることで、本発明に係る電子ペンを構成させることができる。
【発明の効果】
【００１８】
本発明によれば、電子ペンは、用紙に設けられた指定エリアへの操作に基づき、記入情報を送信する通信方式又は通信先を設定し、用紙に設けられた記入エリアへの記入内容を示す記入情報を設定に従い好適に送信することができる。
【図面の簡単な説明】
【００１９】
【図１】第１実施形態に係る電子ペンシステムの構成を示す。
【図２】記入用紙の上面図を示す。
【図３】ドットパターンのドットとそのドットが変換される値との関係を示す。
【図４】（ａ）は、ドットパターンを模式的に示し、（ｂ）は、それに対応する情報の例を示す図である。
【図５】電子ペンの構造を示す概略図である。
【図６】通信方式決定情報のデータ構造を示す。
【図７】コンピュータ装置の機能ブロック図である。
【図８】サーバ装置の機能ブロック図である。
【図９】第１実施形態の通信制御処理のフローチャートである。
【図１０】通信方式設定処理のフローチャートである。
【図１１】変形例に係る記入用紙の上面図を示す。
【図１２】変形例に係る通信制御処理のフローチャートである。
【図１３】第２実施形態に係る記入用紙の上面図である。
【図１４】第２実施形態の通信制御処理のフローチャートである。
【図１５】第３実施形態に係る電子ペンシステムの構成を示す。
【図１６】第３実施形態に係る電子ペンの構造を示す概略図である。
【図１７】第３実施形態の通信制御処理のフローチャートである。
【図１８】記入情報送信処理のフローチャートである。
【発明を実施するための形態】
【００２０】
以下、図面を参照しながら、本発明を実施するのに好適な各実施形態について説明する。以下に説明する電子ペンシステムは、複数の通信手段を有する電子ペンを備え、状況に応じて電子ペンが適切に通信手段を選択して生成した記入情報を所定の端末に送信することが可能なシステムである。
【００２１】
＜第１実施形態＞
［電子ペンシステムの構成］
図１は、第１実施形態に係る電子ペンシステムの構成を示す。図１に示す電子ペンシステムは、ユーザが使用する電子ペン１と、略全面にドットパターン（コード化パターン）が印刷された記入用紙２と、電子ペン１から記入情報を受信し、記入情報に基づき記入用紙２への記入内容を再現表示するコンピュータ装置３と、無線ＬＡＮルータ４と、電子ペン１から記入情報を受信して記憶するサーバ装置７と、携帯電話通信網を含むネットワーク８と接続する基地局９とを有する。
【００２２】
図１において、無線ＬＡＮルータ（通信機器）４は、電子ペン１とＷｉ−Ｆｉ（登録商標）に準拠した無線通信（「ＷｉＦｉ通信」とも呼ぶ。）を行い、電子ペン１をサーバ装置７に接続させる。また、電子ペン１は、コンピュータ装置３と近接した場合に、コンピュータ装置３とＢｌｕｅｔｏｏｔｈ（登録商標）方式による無線通信（「Ｂｌｕｅｔｏｏｔｈ通信」とも呼ぶ。）を行う。また、電子ペン１は、携帯電話通信システムを利用した通信（「携帯通信」とも呼ぶ。）が可能な構成を有し、基地局９及びネットワーク８を介してサーバ装置７と接続する。
【００２３】
以下、電子ペンシステムの各構成要素について詳しく説明する。
【００２４】
（記入用紙）
まず、記入用紙（電子ペン用紙）２について説明する。図２は、記入用紙２の上面図を示す。図２に示すように、記入用紙２は、ユーザが電子ペン１により記入操作を行い文字等を書き込む記入エリア２０と、ユーザが電子ペン１によりタップ操作を行う通信方式指定エリア２１とを有する。通信方式指定エリア２１は、記入情報を送信する通信方式をＢｌｕｅｔｏｏｔｈ通信に定めるための第１通信指定エリア２１１と、記入情報を送信する通信方式をＷｉＦｉ通信に定めるための第２通信指定エリア２１２と、記入情報を送信する通信方式を携帯通信に定めるための第３通信指定エリア２１３とを有する。以後では、第１通信指定エリア２１１、第２通信指定エリア２１２、第３通信指定エリアを特に区別しない場合、単に「指定エリア」とも呼ぶ。
【００２５】
そして、記入エリア２０と、通信方式指定エリア２１とを含む領域には、後述する位置座標を示すドットパターン（コード化パターン）が印刷される。ドットパターンは、電子ペン１により読み取ることができるように赤外線を吸収するカーボンを含んだインクにより印刷され、その他の文字や図などは、赤外線を吸収しないインキにより印刷される。また、記入エリア２０及び通信方式指定エリア２１の各エリアには、それぞれ異なる座標範囲のドットパターンが印刷される。
【００２６】
（ドットパターン）
まず、記入用紙２に印刷されたアノト方式のドットパターン（コード化パターン）について図３及び図４を用いて説明する。図３は、ドットパターンのドットとそのドットが変換される値との関係を説明する図である。図３に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、記入用紙２上の位置座標が決定されるよう構成されている。記入用紙２内の各エリアには、座標領域が重ならないようドットパターンが形成される。
【００２７】
図４（ａ）は、あるドットパターンの配列を示している。図４（ａ）に示すように、縦横約２ｍｍの範囲内に６×６個のドットが、記入用紙２上のどの部分から６×６ドットを取ってもユニークなパターンとなるように配置されている。これら３６個のドットにより形成されるドットパターンは位置座標（例えば、そのドットパターンが記入用紙２上のどの位置にあるのか）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１によって行われる。
【００２８】
（電子ペン）
次に、電子ペン１について図５を用いて説明する。図５は、電子ペン１の構造を示す概略図である。図５に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を記入用紙２に当接させて、ストローク（手書きストローク）を記入する。ここで、電子ペン１のペン先部１０３が記入用紙２等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２９】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により記入用紙２等に文字やマークを書いたりタップしたりする際にペン先部１０３からインクカートリッジ１０４を通じて与えられる圧力、即ち筆圧を検出し、その値をプロセッサ１０８へ伝送する。
【００３０】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で記入用紙２等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報としてコンピュータ装置３又はサーバ装置７へ送信する。また、ユーザが１つのストロークを記入し終えて電子ペン１を記入用紙２等から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３又はサーバ装置７へ送信する。
【００３１】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、記入用紙２上のペン先部１０３近傍に向けて赤外線を照明する。その領域は、ペン先部１０３が記入用紙２等に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入用紙２等に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３２】
プロセッサ１０８は、ユーザの記入が行われる間、ＣＭＯＳカメラ１０６によって供給される画像データのドットパターンから、ユーザが記入するストローク（筆跡）の記入用紙２におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、記入用紙２における６×６のドットパターンは、記入用紙２内で重複することはないため、ユーザが電子ペン１で文字等を記入すると、記入された位置が記入用紙２のどの位置に当たるかを、プロセッサ１０８による座標演算により特定することができる。
【００３３】
また、プロセッサ１０８は、通信方式指定エリア２１へのタップ操作により生成された記入情報に基づき、Ｂｌｕｅｔｏｏｔｈ通信、ＷｉＦｉ通信、又は携帯通信のいずれにより通信を行うかの設定情報を生成してメモリ１０９に記憶させる。そして、プロセッサ１０８は、記入エリア２０への記入操作により生成された記入情報を、上述の設定情報が示す通信方式により送信する。また、プロセッサ１０８は、メモリ１０９に設定情報が記憶されていない場合、記入エリア２０への記入操作により生成された記入情報をメモリ１０９に記憶させる。このように、プロセッサ１０８は、本発明における「設定手段」及び「通信制御手段」として機能する。プロセッサ１０８のこれらの具体的な制御については、［通信制御処理］のセクションで詳しく説明する。
【００３４】
メモリ１０９には、電子ペン１を識別するための「ｐｅｎ０１」といったペンＩＤ、ペン製造者番号、ペンソフトウェアのバージョン等のプロパティ情報が記憶されている。また、メモリ１０９は、サーバ装置７のＩＰアドレスなどの通信アドレスを記憶する。さらに、メモリ１０９は、プロセッサ１０８の制御に基づき、通信ユニット１１１が通信圏内となる通信方式がない場合にプロセッサ１０８が生成した記入情報を記憶する。
【００３５】
また、メモリ１０９は、記入用紙２の通信方式指定エリア２１に印刷されたドットパターンが示す各座標範囲に対し、使用すべき通信方式を関連付けた情報（「通信方式決定情報」とも呼ぶ。）を記憶する。図６は、通信方式決定情報のデータ構造を示す。図６に示すように、通信方式決定情報は、通信方式指定エリア２１内の各指定エリアを示す「エリア」の項目と、各指定エリアに割当てられたドットパターンの座標領域（範囲）を示す「座標範囲」の項目と、各指定エリアが選択された場合に使用すべき通信方式を示す「通信方式」の項目と、当該通信方式により記入情報を送信する送信先を示す項目とを有する。なお、図６では、座標範囲は、角の位置座標（Ｘｎ，Ｙｎ）、高さ（Ｙ方向）、幅（Ｘ方向）で規定されている。このように、メモリ１０９は、通信方式指定エリア２１の各指定エリアに印刷されたドットパターンの座標範囲ごとに、設定すべき通信方式及び送信先の情報を関連付けて記憶する。また、メモリ１０９は、図６に示す通信方式決定情報を参照してプロセッサ１０８が決定した通信方式の情報を、通信方式の設定情報として記憶する。
【００３６】
通信ユニット１１１は、ペンＩＤと、時刻情報（タイムスタンプ）と、筆圧データと、Ｘ、Ｙ座標データとを関連付けて、記入情報としてコンピュータ装置３又はサーバ装置７へ送信する。この場合の通信ユニット１１１によるコンピュータ装置３又はサーバ装置７への送信は、記入情報を送信する通信方式が設定されている場合には、即時的かつ逐次的に行われる。ここで、電子ペン１のペンダウンからペンアップまでの間に生成されて送信された１個又は複数個の座標属性情報は、受信先であるコンピュータ装置３又はサーバ装置７によりストローク情報として記憶される。換言すると、１つのストロークは、１個又は複数個のＸ、Ｙ座標（座標点）からなり、記入情報の受信先であるコンピュータ装置３及びサーバ装置７は、ペンダウン情報及びペンアップ情報によって、１つのストロークを構成する１個又は複数個の座標属性情報を認識する。
【００３７】
また、通信ユニット１１１は、Ｂｌｕｅｔｏｏｔｈによる無線通信処理を行う第１通信デバイス１１１ａと、Ｗｉ−Ｆｉに準拠した無線通信処理を行う第２通信デバイス１１１ｂと、携帯通信処理を行う第３通信デバイス１１１ｃとを有する。そして、通信ユニット１１１は、プロセッサ１０８の制御に基づき、第１通信デバイス１１１ａ、第２通信デバイス１１１ｂ、又は第３通信デバイス１１１ｃのいずれか一方により無線通信を行う。
【００３８】
第１通信デバイス１１１ａは、ペアリング操作によりコンピュータ装置３と認証キーであるパスキーなどの情報交換を予め行っており、Ｂｌｕｅｔｏｏｔｈ通信の通信相手としてコンピュータ装置３を認識している。そして、第１通信デバイス１１１ａは、電子ペン１の図示しないキャップが外されたときに所定時間電波を発信し、コンピュータ装置３が当該電波を受信した場合にコンピュータ装置３とＢｌｕｅｔｏｏｔｈ通信を確立する。また、第２通信デバイス１１１ｂは、無線ＬＡＮルータ４が発信する電波（ビーコン）を受信後、ＥＳＳ−ＩＤや暗号化キーを無線ＬＡＮルータ４に送信し、無線ＬＡＮルータ４から認証を受けることで、無線ＬＡＮルータ４とＷｉＦｉ通信を確立する。この場合、第２通信デバイス１１１ｂは、プロセッサ１０８の制御に基づき、メモリ１０９に記憶されたサーバ装置７の通信アドレスを送信先アドレスに指定して通信を行う。第３通信デバイス１１１ｃは、携帯電話の通信システムで通信を行うのに必要なＳＩＭなどのチップを有する。そして、第３通信デバイス１１１ｃにより記入情報を送信する場合、プロセッサ１０８は、メモリ１０９に記憶されたサーバ装置７の通信アドレスを送信先に指定する。また、プロセッサ１０８は、記入情報と共に、ＳＩＭに記憶された識別情報を送信先に送信する。
【００３９】
なお、電子ペン１は、インクカートリッジ１０４に代えて、インキが充填されていないペン部を備えてもよい。この場合、ペン先部１０３からインキが出力されない。
【００４０】
（コンピュータ装置）
次に、コンピュータ装置３（受信機）について説明する。コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。なお、コンピュータ装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。
【００４１】
図７は、コンピュータ装置３の機能ブロック図である。コンピュータ装置３は、機能的には、マウスやキーボードといった入力手段３１、通信手段３２、記憶手段３３、処理手段３４、表示手段３６を備える。通信手段３２は、アンテナ受信回路等により構成され、電子ペン１から記入情報を受信し、受信した情報を処理手段３４に伝送する。表示手段３６は、ディスプレイ等によって構成され、処理手段３４によって指示された内容を表示する。
【００４２】
処理手段３４は、ＣＰＵ等のプロセッサによって構成され、コンピュータ装置３の全体の制御を行う。処理手段３４は、電子ペン１により生成され送信されてきた記入情報を、記憶手段３３に記憶させる。また、処理手段３４は、受信した記入情報が示す位置座標に基づき、後述する座標定義情報を参照し、電子ペン１による記入用紙２の記入エリア２０への記入内容を再現したストロークを表示手段３６に表示させる。
【００４３】
なお、電子ペン１が生成した全ての記入情報をサーバ装置７が管理する場合、処理手段３４は、電子ペン１から受信した記入情報を通信手段３２によりサーバ装置７に転送してもよい。
【００４４】
記憶手段３３は、ＲＯＭやＲＡＭといったメモリによって構成される。記憶手段３３は、処理手段３４の処理命令により、電子ペン１から受信した記入情報をペンＩＤ毎に記憶する。また、記憶手段３３は、記入用紙２に印刷されたドットパターンが示す座標範囲の情報（「座標定義情報」とも呼ぶ。）を記憶する。
【００４５】
（サーバ装置）
次に、サーバ装置７（受信機）について説明する。サーバ装置７は、ハードウェアとして、データ通信が可能な通信装置、ＣＰＵ等のプロセッサ、ＲＯＭやＲＡＭといったメモリなどを備える。
【００４６】
図８は、サーバ装置７の機能ブロック図である。サーバ装置７は、機能的には、通信手段７２、記憶手段７３、及び処理手段７４等により構成される。
【００４７】
通信手段７２は、ネットワーク８を介して電子ペン１から記入情報を受信し、受信した情報を処理手段７４に伝送する。記憶手段７３は、ＲＯＭやＲＡＭといったメモリによって構成される。記憶手段７３は、処理手段７４の処理命令により、電子ペン１から受信した記入情報をペンＩＤ毎に記憶する。
【００４８】
処理手段７４は、ＣＰＵ等のプロセッサによって構成され、サーバ装置７の全体の制御を行う。処理手段７４は、電子ペン１により記入用紙２に印刷されたドットパターンが読み取られた場合、電子ペン１により生成され送信されてきた記入情報を、記憶手段７３に記憶させる。また、例えば、処理手段７４は、コンピュータ装置３などのネットワーク８を介して接続する端末から記憶手段７３に記憶した記入情報の送信要求を受信した場合、当該記入情報を通信手段７２により要求元の端末へ送信する。
【００４９】
［通信制御処理］
次に、電子ペン１のプロセッサ１０８が実行する通信ユニット１１１への通信制御処理について説明する。概略的には、プロセッサ１０８は、記入用紙２の記入エリア２０への記入操作に基づき生成した記入情報を、通信方式指定エリア２１にて選択された通信方式によりコンピュータ装置３又はサーバ装置７に送信する。これにより、プロセッサ１０８は、ユーザが所望する通信方式により好適に記入情報を送信する。
【００５０】
（１）処理概要
図９は、電子ペン１のプロセッサ１０８が実行する処理手順を示すフローチャートの一例である。電子ペン１のプロセッサ１０８は、ペンダウンを検知するごとに、図９に示すフローチャートの処理を繰り返し実行する。
【００５１】
まず、プロセッサ１０８は、圧力センサ１０７の検出値に基づきペンダウンを検知する（ステップＳ１０１）。そして、プロセッサ１０８は、ペンダウン情報とペンＩＤとを関連付けた記入情報を生成する。また、ペンダウン後のストロークの記入時には、プロセッサ１０８は、読み取ったドットパターンから演算した座標情報を含む記入情報を生成する（ステップＳ１０２）。
【００５２】
次に、プロセッサ１０８は、図６の通信方式決定情報を参照し、生成した記入情報が示す座標値が通信方式指定エリア２１に印刷されたドットパターンの座標範囲に含まれるかを判定する（ステップＳ１０３）。そして、生成した記入情報が示す座標値が通信方式指定エリア２１に印刷されたドットパターンの座標範囲に含まれる場合（ステップＳ１０３；Ｙｅｓ）、プロセッサ１０８は、選択された指定エリアに基づき記入情報を送信する通信方式を設定する処理である通信方式設定処理を行う（ステップＳ１０４）。これにより、プロセッサ１０８は、記入情報を送信すべき通信方式を示す設定情報をメモリ１０９に記憶する。この通信方式設定処理については、図１０を参照して詳しく説明する。
【００５３】
生成した記入情報が示す座標値が通信方式指定エリア２１に印刷されたドットパターンの座標範囲に含まれない場合（ステップＳ１０３；Ｎｏ）、又はステップＳ１０４の実行後、プロセッサ１０８は、ステップＳ１０５の処理を実行する。ステップＳ１０５では、プロセッサ１０８は、ステップＳ１０４の通信方式設定処理により通信方式の設定情報がメモリ１０９に記憶されており、かつ、当該通信方式が通信圏内であるか否か判定する。そして、通信方式の設定情報がメモリ１０９に記憶されており、かつ、当該通信方式が通信圏内である場合（ステップＳ１０５；Ｙｅｓ）、プロセッサ１０８は、設定されている通信方式で記入情報を送信する（ステップＳ１０６）。このとき、プロセッサ１０８は、後述するステップＳ１０７でメモリ１０９に記憶された記入情報が存在する場合には、ステップＳ１０２で生成した記入情報に加え、メモリ１０９に記憶された記入情報も送信する。一方、通信方式の設定情報がメモリ１０９に記憶されていない、または、当該通信方式が通信圏外である場合（ステップＳ１０５；Ｎｏ）、プロセッサ１０８は、ステップＳ１０２で生成した記入情報をメモリ１０９に記憶する（ステップＳ１０７）。
【００５４】
次に、プロセッサ１０８は、圧力センサ１０７の検出値に基づき、ペンアップを検知したか否かを判定する（ステップＳ１０８）。そして、ペンアップを検知した場合（ステップＳ１０７；Ｙｅｓ）、プロセッサ１０８は、ペンアップ情報を含む記入情報を送信し、送信済みの記入情報をすべて削除する（ステップＳ１０９）。
【００５５】
（２）通信方式設定処理
図１０は、図９のステップＳ１０４で実行する通信方式設定処理の手順を示すフローチャートである。図１０の通信方式設定処理では、プロセッサ１０８は、図６の通信方式決定情報に基づき、読み取ったドットパターンから算出した座標値が属する座標範囲に対応する指定エリアに関連付けられた通信方式を、記入情報を送信する通信方式に設定する。
【００５６】
プロセッサ１０８は、読み取ったドットパターンから算出した座標値が、第１通信指示エリア２１１、第２通信指示エリア２１２、第３通信指示エリア２１３のいずれの指示エリアに印刷されたドットパターンの座標範囲に属するかを判定する（ステップＳ２０１）。そして、算出した座標値が第１通信指示エリア２１１に印刷されたドットパターンの座標範囲に属する場合（ステップＳ２０１；第１通信指定エリア）、プロセッサ１０８は、記入情報を送信する通信方式をＢｌｕｅｔｏｏｔｈ通信方式にする旨の設定情報をメモリ１０９に記憶する（ステップＳ２０２）。また、算出した座標値が第２通信指示エリア２１２に印刷されたドットパターンの座標範囲に属する場合（ステップＳ２０１；第２通信指定エリア）、プロセッサ１０８は、記入情報を送信する通信方式をＷｉＦｉ通信方式にする旨の設定情報をメモリ１０９に記憶する（ステップＳ２０３）。また、算出した座標値が第３通信指示エリア２１３に印刷されたドットパターンの座標範囲に属する場合（ステップＳ２０１；第３通信指定エリア）、プロセッサ１０８は、記入情報を送信する通信方式を携帯通信方式にする旨の設定情報をメモリ１０９に記憶する（ステップＳ２０４）。なお、プロセッサ１０８は、ステップＳ２０２〜Ｓ２０４の実行時に、既にメモリ１０９に記憶された通信方式の設定情報が存在する場合には、メモリ１０９に記憶された設定情報を新たに指定された通信方式を示す設定情報に更新する。
【００５７】
［第１実施形態の電子ペンシステムによる作用効果］
第１実施形態の電子ペンシステムによれば、電子ペン１は、記入用紙２の記入エリア２０への記入操作に基づき生成した記入情報を、通信方式指定エリア２１にて選択された通信方式によりコンピュータ装置３又はサーバ装置７に送信する。これにより、電子ペン１は、ユーザが所望する通信方式により好適に記入情報を送信することができる。
【００５８】
また、電子ペン１は、記入エリア２０への記入操作に基づく記入情報の生成時に、メモリ１０９に通信方式の設定情報が記憶されていない場合には、記入情報をメモリ１０９に記憶し、通信方式指定エリア２１にて通信方式が選択されたときに当該通信方式により記入情報を送信する。これにより、電子ペン１は、通信方式が設定されていない時に生成された記入情報を、ユーザが意図する通信方式により好適に送信することができる。
【００５９】
［第１実施形態の変形例］
次に、第１実施形態の変形例について説明する。以下の変形例は、任意に組み合わせて上述の実施形態に適用してもよい。
【００６０】
（変形例１）
電子ペン１は、図５に示す構成に加え、記入情報を送信する通信方式を表示するためのディスプレイを有してもよい。この場合、例えば、プロセッサ１０８は、図１０の通信方式設定処理により、記入情報を送信する通信方式をＢｌｕｅｔｏｏｔｈ通信に定めた場合、Ｂｌｕｅｔｏｏｔｈ通信により記入情報を送信する旨をディスプレイに表示させる。また、プロセッサ１０８は、図１０の通信方式設定処理により、記入情報を送信する通信方式をＷｉＦｉ通信に定めた場合、ＷｉＦｉ通信により記入情報を送信する旨をディスプレイに表示させる。また、プロセッサ１０８は、図１０の通信方式設定処理により、記入情報を送信する通信方式を携帯通信に定めた場合、携帯通信により記入情報を送信する旨をディスプレイに表示させる。これにより、電子ペン１が記入情報を送信する通信方式を容易にユーザに把握させることができる。なお、上述のディスプレイは、本発明における「表示手段」として機能し、プロセッサは、本発明における「表示制御手段」として機能する。
【００６１】
（変形例２）
記入用紙２は、通信方式を指定するための操作エリアである通信方式指定エリア２１に代えて、通信先を指定するための操作エリアを有してもよい。
【００６２】
図１１は、本変形例に係る記入用紙２Ｘの上面図を示す。図１１に示すように、記入用紙２Ｘは、通信方式指定エリア２１に代えて、記入情報の送信先を指定するための通信先指定エリア２３を有する。通信先指定エリア２３は、コンピュータ装置３を記入情報の送信先に指定するための第１通信先指定エリア２３１と、サーバ装置７を記入情報の送信先に指定するための第２通信先指定エリア２３２とを有する。そして、通信先指定エリア２３の各エリア及び記入エリア２０には、互いに座標範囲が重ならないようドットパターンが印刷される。
【００６３】
次に、電子ペン１について説明する。電子ペン１のメモリ１０９は、通信先指定エリア２３の各指定エリアに印刷されたドットパターンの座標範囲に関連付けて、送信先がコンピュータ装置３又はサーバ装置７のいずれであるかを識別する情報（「送信先決定情報」とも呼ぶ。）を記憶する。また、好適には、メモリ１０９は、各送信先に対し、通信可能な通信方式を予め記憶するとよい。例えば、メモリ１０９は、送信先がコンピュータ装置３の場合には、Ｂｌｕｅｔｏｏｔｈ通信、ＷｉＦｉ通信、携帯通信が可能である旨を記録し、送信先がサーバ装置７の場合には、ＷｉＦｉ通信又は携帯通信が可能である旨を記憶しておく。なお、メモリ１０９は、ＷｉＦｉ通信及び携帯通信時に必要なコンピュータ装置３及びサーバ装置７の通信アドレスを予め記憶しておく。
【００６４】
次に、プロセッサ１０８が実行する処理について説明する。図１２は、変形例においてプロセッサ１０８が実行する処理手順を示すフローチャートである。
【００６５】
まず、プロセッサ１０８は、ペンダウンを検知し（ステップＳ３０１）、記入情報を生成した後（ステップＳ３０２）、記入情報が示す座標値が通信先指定エリア２３に印刷されたドットパターンの座標範囲であるか否かを判定する（ステップＳ３０３）。そして、記入情報が示す座標値が通信先指定エリア２３に印刷されたドットパターンの座標範囲である場合（ステップＳ３０３；Ｙｅｓ）、プロセッサ１０８は、上述の座標値に基づき、送信先決定情報を参照して送信先を決定する（ステップＳ３０４）。この場合、プロセッサ１０８は、決定した送信先を、記入情報の送信先にする旨の設定情報をメモリ１０９に記憶する。
【００６６】
そして、プロセッサ１０８は、送信先が設定されており、かつ、送信先と通信可能な通信方式がある場合（ステップＳ３０５；Ｙｅｓ）、当該送信先に記入情報を送信する（ステップＳ３０６）。一方、送信先が設定されていないか、送信先と通信可能な通信方式がない場合（ステップＳ３０５；Ｎｏ）、プロセッサ１０８は、記入情報をメモリ１０９に記憶する（ステップＳ３０７）。そして、プロセッサ１０８は、ペンアップを検知した場合（ステップＳ３０８；Ｙｅｓ）、ペンアップの記入情報を送信すると共に、送信済みの記入情報をメモリ１０９から削除する（ステップＳ３０９）。
【００６７】
ここで、ステップＳ３０６で記入情報を送信する通信方式の決定方法について補足説明する。好適には、プロセッサ１０８は、使用する通信方式の候補のうち、通信可能範囲が狭い順から通信圏内であるか否かを判定し、通信圏内であると最初に判定した通信方式により記入情報を送信する。例えば、送信先がコンピュータ装置３の場合、プロセッサ１０８は、Ｂｌｕｅｔｏｏｔｈ通信、ＷｉＦｉ通信、携帯通信の順に通信圏内であるか否か判定し、通信圏内であると最初に判定した通信方式により記入情報を送信する。同様に、送信先がサーバ装置７の場合、プロセッサ１０８は、ＷｉＦｉ通信、携帯通信の順に通信圏内であるか否か判定し、通信圏内であると最初に判定した通信方式により記入情報を送信する。
【００６８】
このように、変形例に係る電子ペンシステムは、ユーザに任意の送信先を指定させて電子ペン１により記入情報を送信することができる。
【００６９】
（変形例３）
第１実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【００７０】
＜第２実施形態＞
第２実施形態では、電子ペンシステムは、第１実施形態での構成に加えて、図１０の通信方式設定処理により設定した通信方式の設定を、ユーザの電子ペン１による記入用紙２への操作に基づき解除することが可能な構成を有する。
【００７１】
図１３は、第２実施形態に係る記入用紙２Ａの上面図を示す。図１３に示すように、記入用紙２Ａは、図１０の通信方式設定処理により設定した通信方式の設定を解除するための解除指示エリア２２を有する。解除指示エリア２２には、記入エリア２０及び通信方式指定エリア２１の各指定エリアと座標範囲が重ならないようドットパターンが形成される。
【００７２】
次に、第２実施形態の電子ペン１について説明する。メモリ１０９は、図６に示す通信方式決定情報に加え、解除指示エリア２２に印刷されたドットパターンの座標範囲を記憶する。そして、プロセッサ１０８は、解除指示エリア２２に印刷されたドットパターンの座標範囲に属する座標値を示すドットパターンを読み取った場合、メモリ１０９に記憶した通信方式の設定情報を削除する。
【００７３】
図１４は、第２実施形態において、電子ペン１のプロセッサ１０８が実行する処理手順を示すフローチャートの一例である。電子ペン１のプロセッサ１０８は、ペンダウンを検知するごとに、図１４に示すフローチャートの処理を繰り返し実行する。
【００７４】
まず、プロセッサ１０８は、圧力センサ１０７の検出値に基づきペンダウンを検知する（ステップＳ４０１）。そして、プロセッサ１０８は、ペンダウン情報とペンＩＤとを関連付けた記入情報を生成する。また、ペンダウン後のストロークの記入時には、プロセッサ１０８は、読み取ったドットパターンから演算した座標情報を含む記入情報を生成する（ステップＳ４０２）。
【００７５】
次に、プロセッサ１０８は、図６の通信方式決定情報を参照し、生成した記入情報が示す座標値が通信方式指定エリア２１に印刷されたドットパターンの座標範囲に含まれるかを判定する（ステップＳ４０３）。そして、生成した記入情報が示す座標値が通信方式指定エリア２１に印刷されたドットパターンの座標範囲に含まれる場合（ステップＳ４０３；Ｙｅｓ）、プロセッサ１０８は、図１０で説明した通信方式設定処理を行う（ステップＳ４０４）。これにより、プロセッサ１０８は、記入情報の送信に用いる通信方式を示す設定情報をメモリ１０９に記憶する。
【００７６】
一方、生成した記入情報が示す座標値が通信方式指定エリア２１に印刷されたドットパターンの座標範囲に含まれない場合（ステップＳ４０３；Ｎｏ）、プロセッサ１０８は、生成した記入情報が示す座標値が解除指示エリア２２に印刷されたドットパターンの座標範囲に含まれるか否か判定する（ステップＳ４１０）。そして、生成した記入情報が示す座標値が解除指示エリア２２に印刷されたドットパターンの座標範囲に含まれる場合（ステップＳ４１０；Ｙｅｓ）、プロセッサ１０８は、メモリ１０９に記憶した通信方式の設定情報を消去する（ステップＳ４１１）。そして、プロセッサ１０８は、ステップＳ４０８へ処理を進める。一方、生成した記入情報が示す座標値が解除指示エリア２２に印刷されたドットパターンの座標範囲に含まれない場合（ステップＳ４１０；Ｎｏ）、プロセッサ１０８は、ステップＳ４０５へ処理を進める。
【００７７】
ステップＳ４０５では、プロセッサ１０８は、通信方式の設定情報がメモリ１０９に記憶されており、かつ、当該通信方式が通信圏内であるか否か判定する。そして、通信方式の設定情報がメモリ１０９に記憶されており、かつ、当該通信方式が通信圏内である場合（ステップＳ４０５；Ｙｅｓ）、プロセッサ１０８は、設定されている通信方式で記入情報を送信する（ステップＳ４０６）。このとき、プロセッサ１０８は、メモリ１０９に記憶された記入情報が存在する場合には、ステップＳ４０２で生成した記入情報に加え、メモリ１０９に記憶された記入情報も送信する。一方、通信方式の設定情報がメモリ１０９に記憶されていない、または、当該通信方式が通信圏外である場合（ステップＳ４０５；Ｎｏ）、プロセッサ１０８は、ステップＳ４０２で生成した記入情報をメモリ１０９に記憶する（ステップＳ４０７）。
【００７８】
次に、プロセッサ１０８は、圧力センサ１０７の検出値に基づき、ペンアップを検知したか否かを判定する（ステップＳ４０８）。そして、ペンアップを検知した場合（ステップＳ４０７；Ｙｅｓ）、プロセッサ１０８は、ペンアップ情報を含む記入情報を送信し、送信済みの記入情報をすべて削除する（ステップＳ４０９）。
【００７９】
［第２実施形態の電子ペンシステムによる作用効果］
第２実施形態の電子ペンシステムによれば、記入用紙２Ａは、解除指示エリア２２を有し、電子ペン１のプロセッサ１０８は、解除指示エリア２２に印刷されたドットパターンの座標範囲に含まれる座標値を示す記入情報を生成した場合、メモリ１０９に記憶した通信方式の設定情報を削除する。これにより、電子ペンシステムは、記入情報を送信すべき通信方式の設定を、電子ペン１による記入用紙２Ａへの操作に基づき解除することができる。その他、第２実施形態の電子ペンシステムは、第１実施形態の電子ペンシステムと同様の作用効果を有する。
【００８０】
［第２実施形態の変形例］
第１実施形態の変形例１〜２は、第２実施形態にも好適に適用することができる。
【００８１】
＜第３実施形態＞
第３実施形態では、電子ペン１は、第１実施形態の構成に加えて、有線通信が可能な構成を有する。図１５は、第３実施形態に係る電子ペンシステムの構成を示す。第３実施形態に係る電子ペンシステムでは、コンピュータ装置３及び電子ペン１は、両端に差し込み可能な端子が設けられたケーブル１０がそれぞれ所定箇所に差し込まれることで、有線通信を行う。ケーブル１０は、例えばＵＳＢケーブルである。第１実施形態の電子ペンシステムと同一の他の構成要素については、適宜同一の符号を付し、その説明を省略する。
【００８２】
図１６は、第３実施形態に係る電子ペン１の概略構成を示す。図１６に示すように、第２実施形態に係る電子ペン１は、ケーブル１０の端子を差し込み可能な有線通信端子１１３を有する。そして、有線通信端子１１３にケーブル１０の端子が差し込まれた状態で、ユーザは、電子ペン１を把持して記入用紙２への記入操作が可能である。この場合、プロセッサ１０８は、生成した記入情報を、有線通信端末１１３を介してコンピュータ装置３に送信する。
【００８３】
次に、第３実施形態におけるプロセッサ１０８の通信制御処理について説明する。概略的には、プロセッサ１０８は、有線通信が可能な場合には、メモリ１０９に記憶された通信方式の設定情報に関わらず、有線通信により記入情報を送信する。そして、プロセッサ１０８は、有線通信ができない場合には、第１実施形態と同様の処理を行う。
【００８４】
図１７は、第３実施形態において、電子ペン１のプロセッサ１０８が実行する処理手順を示すフローチャートの一例である。電子ペン１のプロセッサ１０８は、図１７に示すフローチャートの処理を繰り返し実行する。
【００８５】
まず、プロセッサ１０８は、電子ペン１が有線通信方式により通信可能な状態であるか否か判定する（ステップＳ５０１）。そして、電子ペン１が有線通信方式により通信可能な状態である場合（ステップＳ５０１；Ｙｅｓ）、プロセッサ１０８は、有線通信によりメモリ１０９内の記入情報をコンピュータ装置３へ送信する（ステップＳ５０２）。一方、電子ペン１が有線通信方式により通信可能な状態でない場合（ステップＳ５０１；Ｎｏ）、プロセッサ１０８は、ステップＳ５０３へ処理を進める。
【００８６】
次に、プロセッサ１０８は、圧力センサ１０７の検出値に基づきペンダウンを検知したか否か判定する（ステップＳ５０３）。そして、ペンダウンを検知した場合（ステップＳ５０３；Ｙｅｓ）、プロセッサ１０８は、ペンダウン情報とペンＩＤとを関連付けた記入情報を生成する。また、ペンダウン後のストロークの記入時には、プロセッサ１０８は、読み取ったドットパターンから演算した座標情報を含む記入情報を生成する（ステップＳ５０４）。
【００８７】
次に、プロセッサ１０８は、生成した記入情報が示す座標値が通信方式指定エリア２１に印刷されたドットパターンの座標範囲に含まれるかを判定する（ステップＳ５０５）。そして、生成した記入情報が示す座標値が通信方式指定エリア２１に印刷されたドットパターンの座標範囲に含まれる場合（ステップＳ５０５；Ｙｅｓ）、プロセッサ１０８は、図１０に示す通信方式設定処理を行う（ステップＳ５０６）。これにより、プロセッサ１０８は、記入情報の送信に用いる通信方式を示す設定情報をメモリ１０９に記憶する。
【００８８】
生成した記入情報が示す座標値が通信方式指定エリア２１に印刷されたドットパターンの座標範囲に含まれない場合（ステップＳ５０５；Ｎｏ）、又はステップＳ５０６の実行後、プロセッサ１０８は、記入情報を送信する処理である記入情報送信処理を実行する（ステップＳ５０７）。記入情報送信処理については、図１８を参照して後述する。
【００８９】
次に、プロセッサ１０８は、ペンアップを検知したか否か判定する（ステップＳ５０８）。そして、ペンアップを検知しない場合には（ステップＳ５０８；Ｎｏ）、ステップＳ５０４へ処理を戻し、ペンアップを検知した場合には（ステップＳ５０８；Ｙｅｓ）、ペンアップの記入情報を送信する（ステップＳ５０９）。
【００９０】
一方、ステップＳ５０３でペンダウンを検知しない場合（ステップＳ５０３；Ｎｏ）、プロセッサ１０８は、送信済みの記入情報をメモリ１０９から削除する（ステップＳ５１０）。ステップＳ５０９でペンアップの記入情報を送信した後も、プロセッサ１０８は、同様に、送信済みの記入情報をメモリ１０９から削除する。
【００９１】
次に、ステップＳ５０７の記入情報送信処理について、図１８を参照して説明する。図１８は、記入情報送信処理の手順を示すフローチャートである。
【００９２】
まず、プロセッサ１０８は、有線通信による通信が可能であるか否か判定する（ステップＳ６０１）。そして、有線通信による通信が可能である場合（ステップＳ６０１；Ｙｅｓ）、プロセッサ１０８は、有線通信により記入情報を送信する（ステップＳ６０２）。このように、プロセッサ１０８は、有線通信が可能な場合には、メモリ１０９に記憶した通信方式の設定情報に関わらず、有線通信により記入情報を送信する。
【００９３】
一方、有線通信による通信が可能でない場合（ステップＳ６０１；Ｎｏ）、プロセッサ１０８は、通信方式の設定情報がメモリ１０９に記憶されており、かつ、当該通信方式が通信圏内であるか否か判定する（ステップＳ６０３）。そして、通信方式の設定情報がメモリ１０９に記憶されており、かつ、当該通信方式が通信圏内である場合（ステップＳ６０３；Ｙｅｓ）、プロセッサ１０８は、設定されている通信方式で記入情報を送信する（ステップＳ６０４）。このとき、プロセッサ１０８は、メモリ１０９に記憶された記入情報が存在する場合には、ステップＳ５０４で生成した記入情報に加え、メモリ１０９に記憶された記入情報も送信する。一方、通信方式の設定情報がメモリ１０９に記憶されていない、または、当該通信方式が通信圏外である場合（ステップＳ６０３；Ｎｏ）、プロセッサ１０８は、ステップＳ４０２で生成した記入情報をメモリ１０９に記憶する（ステップＳ６０５）。
【００９４】
［第３実施形態の電子ペンシステムによる作用効果］
第３実施形態の電子ペンシステムによれば、電子ペン１は、ケーブル１０を介してコンピュータ装置３と有線通信を行うことが可能な有線通信端子１１３を有する。そして、電子ペン１は、有線通信が可能な場合には、メモリ１０９に記憶された通信方式の設定情報に関わらず、有線通信により記入情報を送信する。これにより、電子ペン１は、安全かつ確実に記入情報を送信することができる。その他、第３実施形態の電子ペンシステムは、第１実施形態の電子ペンシステムと同様の作用効果を有する。
【００９５】
［第３実施形態の変形例］
次に、第３実施形態の変形例について説明する。第３実施形態では、上述した第１実施形態の変形例１〜変形例２に加え、以下の変形例３及び変形例４を適用してもよい。
【００９６】
（変形例３）
電子ペンシステムは、ケーブル１０に代えて、コンピュータ装置３に接続されたクレードル（保持装置）を備えてもよい。これによっても、電子ペン１は、好適にコンピュータ装置３と有線通信を行うことができる。
【００９７】
この場合、電子ペン１がクレードルに把持されるよう所定位置に挿入されることで、電子ペン１の有線通信端子１１３がクレードルの端子（不図示）と電気的に接続する。そして、電子ペン１は、クレードルを介してコンピュータ装置３と自動的に通信を行い、記入情報を送信する。また、電子ペン１は、クレードルを介してコンピュータ装置３から電力の供給を受け、バッテリー１１２の充電を行う。
【００９８】
ここで、クレードルについてさらに具体的に説明する。クレードルは、所定位置に挿入された電子ペン１を把持可能なキャップ状部と、当該キャップ状部に把持された電子ペン１を載置するためのベース（スタンド）部とを備える。キャップ状部は、電子ペン１を把持した際、有線通信端子１１３と電気的に接続可能な図示しない端子を備える。また、キャップ状部は、外部機器とＵＳＢ規格により電気的に接続するためのインターフェースを備え、コンピュータ装置３とＵＳＢケーブルにより接続する。そして、キャップ状部は、電子ペン１を把持しているとき、電子ペン１から送信された記入情報をコンピュータ装置３に中継すると共に、コンピュータ装置３から供給された充電用の電力を端子１１３に中継する。ベース部は、取りつけられたキャップ状部をロックするためのロック機構を備え、キャップ状部及びキャップ状部に挿入された電子ペン１を固定する。
【００９９】
（変形例４）
第３実施形態は、第２実施形態と組み合わされて実施されてもよい。この場合、図１７のステップＳ５０５において、記入情報が示す座標値が通信方式指定エリア２１に印刷されたドットパターンの座標範囲に含まれない場合に、プロセッサ１０８は、さらに、記入情報が示す座標値が解除指示エリア２２に印刷されたドットパターンの座標範囲に含まれるか判定する。そして、記入情報が示す座標値が解除指示エリア２２に印刷されたドットパターンの座標範囲に含まれる場合に、プロセッサ１０８は、メモリ１０９に記憶された通信方式の設定情報を削除する。
【符号の説明】
【０１００】
１…電子ペン
２、２Ｘ、２Ａ…記入用紙
３…コンピュータ装置
４…無線ＬＡＮルータ
７…サーバ装置
８…ネットワーク
９…基地局
【図１】
2014115832.tif 000003
【図２】
2014115832.tif 000004
【図３】
2014115832.tif 000005
【図４】
2014115832.tif 000006
【図５】
2014115832.tif 000007
【図６】
2014115832.tif 000008
【図７】
2014115832.tif 000009
【図８】
2014115832.tif 000010
【図９】
2014115832.tif 000011
【図１０】
2014115832.tif 000012
【図１１】
2014115832.tif 000013
【図１２】
2014115832.tif 000014
【図１３】
2014115832.tif 000015
【図１４】
2014115832.tif 000016
【図１５】
2014115832.tif 000017
【図１６】
2014115832.tif 000018
【図１７】
2014115832.tif 000019
【図１８】
2014115832.tif 000020